(57)【要約】【課題】通常時の操作性を低下させずに幼児には開けることができなくなるように構成されたキャビネット等のロック装置を提供する。【解決手段】物品収納体３の開口部と該開口部を閉じる蓋体４との間に設けられるキャビネット等のロック装置６を、開口部と蓋体とのいずれか一方に変位可能に設けられたスイッチ板１１及び該スイッチ板と一体をなすストライカ７と、スイッチ板の変位に伴って移動するストライカと係合可能なように他方に固設されたフック８と、スイッチ板の変位位置の少なくとも２つの位置で節度感を付与するためのクリック手段１３とを有するものとする。これにより、スイッチ板を回動またはスライド操作するだけで、スイッチ板と一体のストライカが、フックと係合するロック位置と、その係合が解除されるフリー位置との間で移動する。そしてクリック手段によってロックとフリーとの２位置で節度感が与えられる。【選択図】      図２
2004316324.tif 000002
【特許請求の範囲】
【請求項１】
物品収納体の開口部と該開口部を閉じる蓋体との間に設けられるキャビネット等のロック装置であって、
前記開口部と前記蓋体とのいずれか一方に変位可能に設けられたスイッチ板及び該スイッチ板と一体をなすストライカと、スイッチ板の変位に伴って移動するストライカと係合可能なように他方に固設されたフックと、前記スイッチ板の変位位置の少なくとも２つの位置で節度感を付与するためのクリック手段とを有することを特徴とするキャビネット等のロック装置。
【請求項２】
引き出しからなる主収納体と、該主収納体の前面に設けられる副収納体とを備えたキャビネット等における前記副収納体の開口部と該開口部を閉じる蓋体との間に設けられるロック装置であって、
前記開口部の近傍に変位可能に設けられたスイッチ板及び該スイッチ板と一体をなすストライカと、スイッチ板の変位に伴って移動するストライカと係合可能なように前記蓋体に固設されたフックと、前記スイッチ板の変位位置の少なくとも２つの位置で節度感を付与するためのクリック手段とを有することを特徴とするキャビネット等のロック装置。
【請求項３】
当該ロック装置は、前記主収容体を閉めた際に外面から隠蔽される位置に設けられることを特徴とする請求項２に記載のキャビネット等のロック装置。
【請求項４】
当該ロック装置は、別の閉扉保持力発生手段と併設されることを特徴とする請求項１乃至３のいずれかに記載のキャビネット等のロック装置。
【発明の詳細な説明】
【０００１】
【発明の属する技術分野】
本発明は、キャビネット等のロック装置に関するものである。
【０００２】
【従来の技術】
例えばシステムキッチン等のキャビネットの扉には、閉じた状態を保持するために何らかの閉扉保持装置が必要である。このような閉扉保持装置として、永久磁石を用いたマグネットキャッチャが知られている。このマグネットキャッチャは、格別な開扉操作が無用であって簡単に開扉できる反面、幼児にも開けることができるので、幼児の手の届くところに利用することは不適当である。つまり、幼児の手の届くところにある扉には、幼児には簡単に開けることができないロック装置を設けることが好ましい。
【０００３】
【発明が解決しようとする課題】
しかるに、幼児が簡単に開けることができないようにロック装置を構成することは、幾分なりとも操作性の低下を伴うことは避けられない。これは幼児の居ない家庭の使用者に対しては煩雑感だけを与えることになりかねないので、必ずしも好ましいことではない。
【０００４】
本発明は、このような従来技術の問題点を解消すべく案出されたものであり、その主な目的は、通常時の操作性を低下させずに幼児には開けることができなくなるように構成されたキャビネット等のロック装置を提供することにある。
【０００５】
【課題を解決するための手段】
このような目的を果たすために、本発明の請求項１においては、物品収納体（副収納体３）の開口部と該開口部を閉じる蓋体（４）との間に設けられるキャビネット等のロック装置（６）を、開口部と蓋体とのいずれか一方に変位可能に設けられたスイッチ板（１１）及び該スイッチ板と一体をなすストライカ（７）と、スイッチ板の変位に伴って移動するストライカと係合可能なように他方に固設されたフック（８）と、スイッチ板の変位位置の少なくとも２つの位置で節度感を付与するためのクリック手段（１３）とを有することを特徴とするものとした。
【０００６】
このようにすれば、スイッチ板を回動操作あるいはスライド操作するだけで、スイッチ板と一体のストライカが、フックと係合するロック位置と、フックとの係合が解除されるフリー位置との間で移動する。そしてクリック手段によってロック位置とフリー位置との２位置で節度感が与えられる。
【０００７】
請求項２においては、引き出しからなる主収納体（２）と、該主収納体の前面に設けられる副収納体（３）とを備えたキャビネット等における副収納体の開口部と該開口部を閉じる蓋体との間に設けられるロック装置を、開口部の近傍に変位可能に設けられたスイッチ板及び該スイッチ板と一体をなすストライカと、スイッチ板の変位に伴って移動するストライカと係合可能なように蓋体に固設されたフックと、スイッチ板の変位位置の少なくとも２つの位置で節度感を付与するためのクリック手段とを有することを特徴とするものとした。これにより、スイッチ板を回動操作あるいはスライド操作するだけで副収納体の開口に設けられた蓋体のロック状態とロック解除状態とを簡単に設定することができる。
【０００８】
請求項３においては、上記構成のロック装置を、主収容体を閉めた際に外面から隠蔽される位置に設けるものとした。これにより、主収容体を閉めた状態ではロック装置を操作することができないので、幼児の悪戯を防止する所謂チャイルドロック機能を得ることができる。
【０００９】
請求項４においては、上記構成のロック装置を、別の閉扉保持力発生手段と併設されるものとした。これにより、ロック装置をフリー位置に設定しておけば、自在に扉を開閉操作することができる。
【００１０】
【発明の実施の形態】
以下に添付の図面を参照して本発明について詳細に説明する。
【００１１】
図１は、本発明に基づき構成されたキャビネット１の要部を示している。このキャビネット１は、引き出し式の主収納体２と、主収納体２の前面に設けられた副収納体３とを備えている。副収納体３は、前後に薄い箱状をなしており、その前面の開口には、ヒンジ結合した下端を中心に旋回動して開口を開閉する扉４が設けられている。
【００１２】
扉４は、副収納体３の開口に対し、例えば公知のマグネットキャッチャ（図示せず）などで閉扉状態が保持されるようになっている。また図には明示されていないが、公知のガススプリングダンパなどを用いて開放速度が緩慢になるようにしても良い。
【００１３】
主収納体２をキャビネット１内に押し込んだ際にキャビネット１内に完全に入り込む副収納体３の上壁５には、扉４を閉じた状態に保持するためのロック装置６が設けられている。このロック装置６は、図２に示すように、副収納体３の上壁５に埋め込まれたストライカ部７と、扉４の内面上縁部に固定されたフック部８とからなっている。
【００１４】
ストライカ部７は、図３に併せて示すように、副収納体３の上壁５にねじ止めされたフランジ９と、フランジ９の中央に一体形成された角筒部１０の内側にシーソー式に傾動自在に軸支されたスイッチ板１１と、スイッチ板１１の下面から垂設されたＵ字状部１２と、スイッチ板１１の傾動角度に応じて２つの位置で節度感を生じさせるためのクリック機構１３とからなっている。
【００１５】
スイッチ板１１は、左右方向の中間部でへの字形に折り曲げられており、前後方向に延在する軸１４をもって角筒部１０に軸支されている。
【００１６】
クリック機構１３は、スイッチ板１１の回動中心と同心の円弧状をなし、材料自体の弾性で変形可能なようにスイッチ板１１と一体形成され、且つその遊端側の外面に半球状凸部１５が突設された板ばね部１６と、板ばね部１６の半球状凸部１５と係合可能に角筒部１０の内面の２箇所に設けられた凹部１７ａ・１７ｂとからなり、これら凸部１５と凹部１７ａ・１７ｂとの係合・離脱によってスイッチ板１１の２つの回動位置（ロック位置／図３参照、フリー位置／図４参照）で節度感が生じるようになっている。
【００１７】
フック部８は、扉４の内面上縁部にねじ止めされたフランジ１８に一体形成されたレ字状部１９を有している（図５）。このレ字状部１９とＵ字状部１２とが閉扉状態で互いに係合可能なように、ストライカ部７とフック部８とのそれぞれの位置が定められている。
【００１８】
上述した通り、このロック装置６は、主収納体２をキャビネット１内に全て収容した状態では、キャビネット前面の鏡板２０の下縁に対向する位置に設けられている（図２）。従って、主収納体２をキャビネット１内に収容した状態では、スイッチ板１１に触れることができないので、予めスイッチ板１１をロック位置（図３）にセットしておけば、Ｕ字状部１２とレ字状部１９とが互いに係合して扉４を開くことができなくなる。これにより、幼児が触れただけで副収容体３が開くことが防止される。
【００１９】
副収納体３の扉４を開くには、副収納体３の上壁５と一体的に設けられた取っ手２１を引いてキャビネット１から主収容体２を少し引き出してスイッチ板１１を露出させ、スイッチ板１１をフリー位置へ回動する（図４）。これにより、レ字状部１９と干渉しない位置にＵ字状部１２が退避するので、自由に扉４を開くことができるようになる。
【００２０】
幼児が触れることに対処する必要がないならば、スイッチ板１１をフリー位置にセットしておけば、例えばマグネットキャッチャ等の別に設けられた閉扉保持手段だけで閉扉保持が行われるようにすることができるので、主収容体２を引き出さずに副収容体３の扉４を自由に開けられるようにすることができる。
【００２１】
スイッチ板１１をロック位置にしたままで扉４を閉めたとしても、図５に示すように、レ字状部１９の遊端には先細りとなるテーパ面が付してあるので、Ｕ字状部１２にレ字状部１９が当接するとテーパ面に沿ってＵ字状部１２が逃げるので、閉扉操作に支障を生ずることはない。
【００２２】
以上説明したロック装置６は、合成樹脂材だけ、つまり単一材で全てを形成することができるので、廃棄する際に分別する必要がない。また、上記実施例においては、スイッチ板１１をシーソー式に揺動するものとしたが、これはフランジ９に対して例えば左右に摺動自在に構成し、これに連れてＵ字状部１２が左右に移動するものとしても良い。
【００２３】
【発明の効果】
以上詳述した通り本発明によれば、幼児の悪戯を防止するチャイルドロックとしての機能はもとより、一般的な扉等のロック装置としても有用であり、簡単な機構で操作性に優れたロック装置を安価に提供する上に多大な効果を奏することができる。
【図面の簡単な説明】
【図１】本発明が適用されたキャビネットの要部を一部切除して示す斜視図
【図２】本発明によるロック装置の取付部を示す縦断面図
【図３】ロック状態を示す図２中のＩＩＩ−ＩＩＩ線に沿う断面図
【図４】フリー状態を示す図２中のＩＩＩ−ＩＩＩ線に沿う断面図
【図５】閉扉途中のＵ字状部とレ字状部との関係を示す図２中のＶ−Ｖ線に沿う断面図
【符号の説明】
１  キャビネット
２  主収納体
３  副収納体
４  扉
５  副収納体の上壁
６  ロック装置
７  ストライカ部
８  フック部
９  フランジ
１０  角筒部
１１  スイッチ板
１２  Ｕ字状部
１３  クリック機構
１４  軸
１５  半球状凸部
１６  板ばね部
１７  凹部
１８  フランジ
１９  レ字状部
２０  鏡板
【図１】
2004316324.tif 000003
【図２】
2004316324.tif 000004
【図３】
2004316324.tif 000005
【図４】
2004316324.tif 000006
【図５】
2004316324.tif 000007
【手続補正書】
【提出日】平成15年4月21日(2003.4.21)
【手続補正１】
【補正対象書類名】図面
【補正対象項目名】図３
【補正方法】変更
【補正の内容】
【図３】
2004316324.tif 000008
【手続補正２】
【補正対象書類名】図面
【補正対象項目名】図４
【補正方法】変更
【補正の内容】
【図４】
2004316324.tif 000009